(57)【要約】【課題】目視検査の容易性と不正改造行為に対する抵抗力とを両立させた基板ケースの不正開放防止機構を提供する。【解決手段】ケース本体部材５１と、このケース本体部材を覆って取り付けられる透明材料製の蓋部材５２とを有し、ケース本体部材５１及び蓋部材５２により形成されるケース内部に回路基板３５が収容保持され遊技機内に固定されて使用される。基板ケース５０には、ケース本体部材５１と蓋部材５２とを連結して開放用の破断構造部６５を壊さなければ基板ケース５０を開放不能な基板ケースロック機構６０を備えており、このケースロック機構６０における破断構造部６５をケース本体部材５１側に設けるとともに、破断構造部６５の前方に壁面５２ｔを形成し、基板ケース５０を取り外した状態においてのみ基板ケース５０の後面側から破断構造部６５を壊して基板ケース５０を開放できるように構成する。【選択図】図９
2008237343.tif 000002
【特許請求の範囲】
【請求項１】
ケース本体部材と、前記ケース本体部材を覆って取り付けられる透明材料製の蓋部材とを有し、前記ケース本体部材及び前記蓋部材により形成されるケース内部に回路基板が収容保持され遊技機内の被装着部に固定されて使用される基板ケースの不正開放防止機構であって、
前記基板ケースに、前記ケース本体部材と前記蓋部材とを連結して開放用の破断構造部を壊さなければ基板ケースを開放不能な基板ケースロック機構を備え、
前記破断構造部を前記ケース本体部材側に設けるとともに、前記破断構造部の前方を覆う壁面を有して前記蓋部材を形成し、
前記被装着部から前記基板ケースを取り外した状態においてのみ当該基板ケースの後面側から前記破断構造部を壊して前記基板ケースを開放できるように構成したことを特徴とする基板ケースの不正開放防止機構。
【発明の詳細な説明】
【技術分野】
【０００１】
本発明は、回路基板が基板ケースに収容された状態で遊技機内部に固定され使用される基板ケースの不正開放防止機構に関する。
【背景技術】
【０００２】
パチンコ機やスロットマシン等の遊技機には、液晶表示装置や遊技球発射装置、リールユニット、球払出装置やメダル払出装置などが設けられており、制御対象及び機能に応じて種々の回路基板が用いられている。
【０００３】
このような遊技機に用いられる回路基板は、不正な利得を目的とした改造行為を抑止して公正な遊技に供するため、一般的に基板ケースに収容された状態で遊技機に固定され使用される。特に不正改造の対象となりやすい回路基板については、基板ケースを透明な樹脂材料で形成するとともに、基板ケースの一部（開放用の破断構造部）を壊さなければケースを開放することができない構成のケースロック機構を設け、不正改造を加えた回路基板への差し替えを容易には行えないように構成するとともに、万が一不正改造が行われた場合にも、遊技施設の管理者が基板ケースの外側から回路基板及びケースロック機構の状態を目視確認することにより、不正行為の有無を検査し得るように構成された不正開放防止機構が種々提案され、既に実用に供されている（例えば、特許文献１、特許文献２を参照）。
【０００４】
【特許文献１】特開２００３−３４００９２号公報
【特許文献２】特開２００６−０２０７２８号公報
【発明の開示】
【発明が解決しようとする課題】
【０００５】
しかしながら、従来の不正開放防止機構は、ケース開放用の破断構造部が基板ケースの外面に露出して設けられており、遊技機を開放すれば誰でも触れることができるようになっていた。このことは、基板ケースの目視検査を行う管理者や検査官にとって視認容易であるという利益をもたらすが、不正改造を行おうとする者にとっても改造工具のアプローチが容易であるという利便を与えることになっていた。このため、はんだごての先端にカッターナイフの刃を備えたホットナイフ等の工具による巧妙な不正改造行為を招来しており、このような改造行為に対してより抵抗力の高い不正防止機構が強く求められていた。
【０００６】
本発明は上記のような課題に鑑みてなされたものであり、目視検査の容易性と不正改造行為に対する抵抗力という相反する要求を両立可能な基板ケースの不正開放防止機構を提供することを目的とする。
【課題を解決するための手段】
【０００７】
上記課題を解決して目的を達成するため、本発明は、ケース本体部材（例えば、実施形態における第１ケース本体部材５１）と、このケース本体部材を覆って取り付けられる透明材料製の蓋部材（例えば、実施形態における第１蓋部材５２）とを有し、ケース本体部材及び蓋部材により形成されるケース内部に回路基板（例えば、実施形態における主制御基板３５）が収容保持され遊技機内の被装着部（例えば、実施形態における第２蓋部材８２）に固定されて使用される基板ケースの不正開放防止機構である。この不正開放防止機構は、基板ケースに、ケース本体部材と蓋部材とを連結して開放用の破断構造部を壊さなければ基板ケースを開放不能な基板ケースロック機構（例えば、実施形態における主基板ケースロック機構６０）を備え、上記破断構造部をケース本体部材側に設けるとともに、破断構造部の前方を覆う壁面（例えば、実施形態における天井壁５２ｔ）を有して蓋部材を形成し、被装着部から基板ケースを取り外した状態においてのみ基板ケースの後面側から破断構造部を壊して基板ケースを開放できるように構成される。
【発明の効果】
【０００８】
本発明に係る基板ケースの不正開放防止機構では、ケースロック機構における破断構造部がケース本体部材側に設けられるとともに、透明材料性の蓋部材が破断構造部を覆うように形成され、被装着部から基板ケースを取り外した状態においてのみ基板ケースの後面側から破断構造部を壊して基板ケースを開放できるように構成される。すなわち、基板ケースが被装着部に取り付けられた状態では、透明な蓋部材を通して破断構造部を目視検査することができるが、蓋部材に覆われているためケース後面側の破断構造部に触れることができず、基板ケースを取り外さなければ基板ケースを開放することができないように構成される。
【０００９】
このため、基板ケースの目視検査を行う遊技施設の管理者や検査官は破断構造部を容易に目視確認できる一方、不正改造を行おうとする者には前方を覆う蓋部材が邪魔になって破断構造部に触れることができず、容易には不正改造を行うことができない。従って、目視検査の容易性と改造行為に対する抵抗力という相反する要求を両立させた基板ケースの不正開放防止機構を提供することができる。
【発明を実施するための最良の形態】
【００１０】
以下、図面を参照して本発明の好ましい実施形態について説明する。本発明を適用した遊技機の一例として、パチンコ機ＰＭを斜め前方から見た斜視図を図１に示し、斜め後方から見た斜視図を図２に示しており、以下、この図を参照してパチンコ機ＰＭの全体構成について概要説明する。
【００１１】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００１２】
前枠２の前面側では、前側面域に合わせた方形状のガラス扉５および上球皿６が横開き開閉および着脱が可能に組付けられ、その下側に下球皿７及び発射ハンドル８が設けられている。ガラス扉５の背後に位置する前枠上部には、遊技盤１０を着脱可能に収容保持する収容枠が設けられており、この収容枠に所定のゲージ設定で構成された遊技盤１０が着脱可能にセット保持されて前面の遊技領域をガラス扉５の正面に臨ませている。
【００１３】
遊技盤１０は、積層合板の表面にセルが貼り付けられた化粧板や透明な合成樹脂板等を基板とし、前面側に設けられた案内レールに囲まれて遊技球が転動可能な略円形の遊技領域が形成される。遊技領域には、多数本の遊技釘や風車とともに、固定入賞具や可動入賞具等の各種の入賞具、遊技の展開状況に応じたアニメーション画像を表示する画像表示装置などが設けられ、遊技領域の下端には入賞具に入賞せずに落下した遊技球を遊技盤１０の裏面に排出させるアウト口が設けられている。
【００１４】
遊技盤１０の後方に位置する前枠２の後方には、裏セット盤と称される機構セット盤２０が取り付けられており、ここに、球貯留タンク２１や球払出装置２２などの賞球の払出機構、遊技盤１０から排出されたセーフ球やアウト球等の遊技済み球を遊技施設の回収装置に導く遊技済み球排出通路などの球処理機構が設けられる。裏セット盤２０の後面側には、電源基板、発射制御基板３２、払出制御基板３３、ターミナル基板３４、主制御基板３５、演出制御基板３８などの種々の回路基板が基板ケースに収容された状態でネジ固定され、各回路基板と制御対象とがコネクタケーブルで接続されてパチンコ機ＰＭが作動可能に構成される。
【００１５】
このように概要構成されるパチンコ機ＰＭにおいて、主制御基板３５及び演出制御基板３８は、それぞれ主基板ケース５０及び演出基板ケース８０のケース内部に収容保持され、図３に外観斜視図を示すように、主基板ケース５０と演出基板ケース８０とが連結された状態で演出基板ケース８０が裏セット盤２０にネジ固定されて使用される。
【００１６】
主基板ケース５０及び演出基板ケース８０の概要構成を、図４に分解斜視図として示す。なお、以降では、説明の便宜上から図４に示す配置姿勢を基準とし、上下、左右と称して説明する。
【００１７】
主基板ケース５０は、上向きに開く矩形箱状のケース本体部材（以下、演出基板ケース８０のケース本体部材と識別するため、第１ケース本体部材という）５１と、下向きに開く矩形箱状の蓋部材（同様に、第１蓋部材という）５２とを主体として構成され、第１ケース本体部材５１の上方から第１蓋部材５２を覆い被せて閉止した状態において、これらの部材５１，５２に囲まれたケース内部に主制御基板３５が収容保持される。
【００１８】
図９及び図１０にケースの開放時及び閉鎖時における主基板ケース５０の断面図を示すように、第１ケース本体部材５１の底部には、主制御基板３５とこの主制御基板３５のハンダ面を保護するための内部カバー３６とを支持し、これらをネジ固定するためのネジボス５３や補強用のリブ５４が形成されるとともに、主基板ケース５０を演出基板ケース８０に着脱可能に連結させるＬ字状のスライドフック５５が下面に突出して形成され、連結された主基板ケース５０の第１ケース本体部材５１と、演出基板ケース８０の第２蓋部材８２とをネジ結合させるための雌ネジ部５６が形成されている。
【００１９】
第１ケース本体部材５１と第１蓋部材５２の左側縁部には、第１ケース本体部材５１と第１蓋部材５２とを相対揺動及び係脱可能に連結するヒンジ構造５７が設けられ、両者の右側縁部には、開放用の破断構造部を壊さなければケースを開放することができないように構成された主基板ケースロック機構６０が設けられている。このため、第１ケース本体部材５１と第１蓋部材５２とがヒンジ構造５７により横開き開閉及び着脱が可能に連結され、主基板ケースロック機構６０により閉鎖状態に保持される。なお、主基板ケースロック機構６０については後に詳述する。
【００２０】
第１ケース本体部材５１及び第１蓋部材５２は、ケース内部に収容保持された主制御基板３５の視認性を確保するため、透明な樹脂材料、例えばＡＢＳ樹脂やポリカーボネート（ＰＣ）等の合成樹脂材料を用いて射出成型等の成形手段により各々一体に形成される。
【００２１】
演出基板ケース８０は、平板状のケース本体部材（以下、主基板ケース５０のケース本体部材と識別するため、第２ケース本体部材という）８１と、下向きに開く矩形箱状の蓋部材（同様に、第２蓋部材という）８２とを主体として構成され、第２ケース本体部材８１の上方から第２蓋部材８２を覆い被せて閉止した状態において、両部材８１，８２に囲まれたケース内部に演出制御基板３８が収容保持される。第２ケース本体部材８１及び第２蓋部材８２は、第１ケース本体部材５１及び第１蓋部材５２と同様の樹脂材料を用いて同様に形成される。
【００２２】
第２ケース本体部材８１には、演出制御基板３８を支持し固定するためのネジボス８３が形成され、四隅には第２蓋部材８２を固定するための雌ネジ部８４が設けられている。この４箇所の雌ネジ部に対応して、蓋部材８２の天井部から下方に向けて有底円筒状のネジホールが形成されており、このうち２箇所のネジホール８７に、図４中のV矢視方向の断面図を図５に示すように、開放用の破断構造部を壊さなければケースを開放することができないないように構成されたキャップ形態の演出基板ケースロック機構９０が設けられている。このため、第２ケース本体部材８１の上方から第２蓋部材８２を覆い被せ、固定ネジ８８をネジホールに挿入して雌ネジ部８４にねじ込むことで、第２蓋部材８２が第２ケース本体部材８１に連結され、演出基板ケースロック機構９０により閉鎖状態に保持されるようになっている。
【００２３】
第２蓋部材８２の天井部には、第１ケース本体部材５１のスライドフック５５を受容してスライド操作により嵌合し、主基板ケース５０を着脱可能に連結させるフック受容口８５、嵌合連結された状態において第１ケース本体部材５１側の雌ネジ部５６と位置整合し、固定ネジ５８を挿通させるネジ挿通孔８６が形成されている。
【００２４】
演出基板ケースロック機構９０は、遮蔽キャップを用いた形態の構成例を示しており、、図６に未開封状態の遮蔽キャップ９１、図７に開封状態の遮蔽キャップ９１′を、それぞれ(ａ)平面図と(ｂ)軸線に沿った断面図とにより示す。
【００２５】
遮蔽キャップ９１は、上下に延びる円筒状のカラー部９２と、このカラー部９２の上端にカラー部よりも大きな径を有して円盤状に形成されたフランジ部９３とを有し、例えばＡＢＳ樹脂やポリカーボネート等の合成樹脂材料を用いて一体的に形成される。カラー部９２には、下部においてカラー部９２と繋がり上部がコの字状に切り離されて径方向に弾性変形可能なロックアーム９４が１８０度離れた対向位置に形成され、このロックアーム９４の先端部にカラー部９２よりも外方に突出する楔状の係合突起９５が形成されている。フランジ部９３には、一辺が薄肉連結部９７ａで繋がり周囲が概略矩形に切り離された矩形の蓋部９６が設けられている。蓋部９６は薄肉連結部９７ａの対辺側において薄肉かつ細巾のミクロジョイント部９７ｂによりフランジ部９３に接合されている。蓋部９６の上面には、ドライバー先端の滑りを抑制して係合を容易化する球面状の凹部９６ａが形成されている。
【００２６】
このような構成の演出基板ケースロック機構９０では、第２ケース本体部材８１に第２蓋部材８２を覆い被せて４箇所のネジホールに固定ネジ８８を挿入し、ネジホールにドライバーを挿入して固定ネジ８８を雌ネジ部８４に螺合締結する。そして２箇所のネジホール８７に遮蔽キャップ９１を押し込む。遮蔽キャップ９１におけるカラー部９２の外径はネジホール８７における挿入開口８７ａの内径よりわずかに小径である一方、楔状の係合突起９５はカラー部９２から外径方向に突出しているため、遮蔽キャップ９１がネジホール８７に押し込まれると、楔状の係合突起９５がネジホール８７の挿入開口８７ａに押圧されてロックアーム９４が弾性変形して内径側に揺動され、カラー部９２がネジホール８７内に侵入する。そして、フランジ部９３がネジホール上端の座ぐり部まで完全に押し込まれ係合突起９５が挿入開口８７ａを通過すると、ロックアーム９４が弾性力により外径方向広がって元の状態に自己復帰し、図５に示したように、係合突起９５が挿入開口８７ａの下面と係合する。
【００２７】
この結果、遮蔽キャップ９１は、ネジホール８７内に押し込まれた状態で係合保持されて外部から抜き取ることできなくなり、蓋部９６の存在により固定ネジ８８に直接触れることができなくなる。これにより、第２蓋部材８２が第２ケース本体部材８１に連結されて演出基板ケース８０が閉鎖された状態に保持される。
【００２８】
演出基板ケース８０を開放する場合には、図７(ｂ)に示すように、例えばドライバーＤＲの先端を蓋部上面の凹部９６ａに当てて蓋部９６を上方から強く押す。すると、薄肉細巾のミクロジョイント部９７ｂが破断し、薄肉連結部９７ｂが折れ曲がるようにして蓋部９６が下方に揺動してカラー部９２内に没入し、フランジ部９２の中央に矩形開口９８が開口する。矩形開口９８が開口すると、図７(ａ)に示すように、ネジホールの挿入開口８７ａ側から固定ネジ８８の頭部が見える状態になり、ドライバーＤＲを挿入して固定ネジ８８を取り外すことで、演出基板ケース８０を開放することができる。
【００２９】
ミクロジョイント部９７ｂを破断させた開封状態の遮蔽キャップ９１′は、基板ケースを開放した状態で第２蓋部材８２の内側から、円筒状の取り外し治具等を用いて２箇所の係合突起９５を内径方向に押圧し、挿入開口８７ａ下面との係合を解除して、ネジホール８７から取り外すことができる。そして、演出基板ケース８０を再度封止する際に、ミクロジョイント部９７ｂが破断されていない未使用の遮蔽キャップ９１を挿入開口８７ａに押圧固定することで、演出基板ケース８０を閉鎖状態に封止保持することができる。
【００３０】
次に、主基板ケースロック機構６０は、連結駒ないしロック駒等とも称される連結部材７０を用いた構成例を図８〜図１０に示す。ここで、図８は、(ａ)アンロック姿勢の連結部材７０を本体側ハウジング６１から引き抜いた状態と、(ｂ)引き抜いた連結部材７０を上下反転させて本体側ハウジング６１に挿入する状態とを示す斜視図、図９はアンロック状態にある連結部材の作用を説明するための主基板ケースロック機構６０の断面図、図１０はロック状態にある連結部材の作用を説明するための主基板ケースロック機構６０の断面図である。
【００３１】
主基板ケースロック機構６０は、第１ケース本体部材５１に設けられた本体側ハウジング６１と、第１蓋部材５２に設けられた蓋側ハウジング６２と、これらの間に嵌着される連結部材７０とを主体とし、これらが複数組（図示する実施形態では４組）設けられて構成される。
【００３２】
連結部材７０は、平面視における形状が長辺と短辺とからなる長方形断面で上下に延び、一端に開口７０ａ、他端に底壁７０ｂを有する有底角筒状をなし、例えばＡＢＳ樹脂やポリカーボネート等の合成樹脂材料により一体成型される。
【００３３】
長方形断面の短辺を形成する壁面（便宜的に短壁面という）７１には、開口７０ａ側に位置して、根本部が開口側の短壁面７１に繋がるコの字状に切り離されて底壁側の先端部が角筒の内外方向に弾性変形可能に構成されるとともに、先端部に向けて外方に突出する断面視楔状の第１ロック爪７３が形成されている。また、長方形断面の長辺を形成する壁面（同様に長壁面という）７２には、底壁７０ｂ側に位置して、根本部が底壁側の長壁面７２に繋がるコの字状に切り離されて開口側の先端部が角筒の内外方向に弾性変形可能に構成されるとともに、先端部に向けて外方に突出する断面視楔状の第２ロック爪７４が形成されている。底壁７０ｂの外面側には、連結部材７０が底壁７０ｂを上向きにしたロック姿勢であるか、または開口７０ａを上向きにしたアンロック姿勢であるかを視認容易に識別するため、標識として「ロック」の文字が形成されている（図８(ｂ)を参照）。
【００３４】
第１ケース本体部材５１に設けられた本体側ハウジング６１、及び第１蓋部材５２に設けられた蓋側ハウジング６２は、連結部材７０よりもわずかに大きめな長辺と短辺とからなる長方形断面で上下に延び、本体側ハウジング６１は上端に挿抜開口６１ａを有する有底角筒状、蓋側ハウジング６２は下端に挿抜開口６２ａを有する有底角筒状に形成される。本体側ハウジング６１は、２枚の薄板状の破断構造部６５を介して第１ケース本体部材の側壁５１ｓに接合されている。
【００３５】
一方、第１蓋部材の天井壁５２ｔは、第１ケース本体部材の側壁５１ｓに対応して主制御基板３５の収容空間を形成する側壁５２ｓよりも外側に延びて形成され、蓋側ハウジング６２は蓋部材５２の内部に天井壁５２ｔから下向きに突出して一体成型されている。天井壁５２ｔは、蓋側ハウジング６２よりもさらに外方に延びて主基板ケース全体の高さを有する囲壁５２ｉに繋がっており、第１蓋部材５２の閉鎖姿勢において上下に位置整合する４箇所の蓋側ハウジング６２及びケース側ハウジング６１が天井壁５２ｔ及び囲壁５２ｉによって覆われるようになっている。
【００３６】
本体側ハウジング６１には、対向する短辺の内壁面に、第１ロック爪７３を受容して係合し連結部材７０を係止する角穴状の本体側爪係止穴６３が設けられ、対向する長辺の内壁面に、第２ロック爪７４を上下方向にガイドする凹溝状の本体側ガイド溝６４が設けられている。蓋側ハウジング６２にも対向する各辺に同様のガイド溝と爪係止穴とが形成されているが、その配設位置が長辺と短辺とで逆になっている。すなわち、蓋側ハウジング６２では、対向する長辺の内壁面に、第２ロック爪７４を受容して係合し連結部材７０を係止する角穴状の蓋側爪係止穴６６が設けられ、対向する短辺の内壁面に、第１ロック爪７３を上下方向にガイドする凹溝状の蓋側ガイド溝６７が設けられている。
【００３７】
このため、図８(ａ)及び図９に示すように、開口７０ａを上向きにしたアンロック姿勢で連結部材７０を本体側ハウジング６１に装着したときには、長壁面７２に形成された第２ロック爪７４が本体側ガイド溝６４に案内されて連結部材７０の底壁側部分が本体側ハウジング６１内に収容され、その上方から第１蓋部材５２を閉止すると短壁面７１に形成された第１ロック爪７３が蓋側ガイド溝６７に案内されて連結部材７０の開口側部分が蓋側ハウジング６２内に収容される。この状態では、連結部材７０の第１ロック爪７３及び第２ロック爪７４は、いずれも上下に延びる凹溝状のガイド溝６７，６４内に位置して上下に相対移動可能であり、主基板ケース５０を自由に開閉することができる。
【００３８】
一方、図８(ｂ)及び図１０に示すように、底壁７０ｂを上向きにしたロック姿勢で連結部材７０を本体側ハウジング６１に装着すると、短壁面７１に形成された第１ロック爪７３が本体側爪係止穴６３に嵌入して係合し、連結部材７０の開口側部分が本体側ハウジング６１内に収容された状態で固定される。そして、その上方から第１蓋部材５２を閉止すると長壁面７２に形成された第２ロック爪７４が蓋側爪係止穴６６に嵌入して係合し、連結部材７０の底壁側部分が蓋側ハウジング６２内に収容された状態で固定される。この状態では、連結部材７０の第１ロック爪７３及び第２ロック爪７４の両者が、いずれも角穴状の爪係止穴６３，６６内に拡開した状態で係合しており、主基板ケース５０の第１ケース本体部材５１と蓋部材５２とが連結部材７０を介して結合された閉止状態にロックされる。
【００３９】
そこで、主基板ケースロック機構６０では、工場出荷時に複数の主基板ケースロック機構のうちひとつをロック状態とする。例えば４組の主基板ケースロック機構を、第１ケースロック機構６０ａ〜第４ケースロック機構６０ｄとしたときに、第１ケースロック機構６０ａの連結部材のみをロック姿勢とし、他のケースロック機構６０ｂ，６０ｃ，６０ｃの連結部材をアンロック姿勢として主基板ケース５０を閉鎖する。このとき、第１ケースロック機構６０ａの連結部材は、底壁７０ｂが上向き姿勢で本体側及び蓋側ハウジング６１，６２の内部に係止されており、遊技施設の管理者は第１蓋部材の天井面５２ｔを透視して底壁に形成された「ロック」の文字を目視確認することができ、これにより第１ケースロック機構６０ａがロック状態にあることを確認できる。
【００４０】
主基板ケース５０を開放する必要が生じた場合には、主基板ケース５０を裏返し、主基板ケース５０の下面側に位置する第１ケースロック機構６０ａの破断構造部６５をニッパ等の工具により切断する。すると、第１ケースロック機構６０ａの本体側ハウジング６１はロック姿勢にある連結部材７０を介して第１蓋部材５２に連結されているが、本体側ハウジング６１自体が第１ケース本体部材５１から分離されたため、第１ケース本体部材５１と第１蓋部材５２との連結が解除され、主基板ケース５０を開放することができる。そこで、主基板ケース５０を開放して主制御基板３５等の保守点検作業等を行うことができる。
【００４１】
主制御基板３５等の保守点検作業等を終えて主基板ケース５０を再度封鎖する際には、第１ケースロック機構６０ａ以外のケースロック機構、例えば図８(ａ)に示すように、第２ケースロック機構６０ｂにアンロック姿勢で収容されていた連結部材７０を引き抜き、図８(ｂ)に示すように、上下を反転して本体側ハウジング６１に装着し、上方から第１蓋部材５２を閉止する。すると、連結部材７０の第１ロック爪７３及び第２ロック爪７４が各々本体側爪係止穴６３及び蓋部材側爪係止穴６６と係合して第１ケース本体部材５１と第１蓋部材５２とが連結部材７０を介して結合され、第２ケースロック機構６０ｂにより主基板ケース５０が閉止状態にロックされる。このとき、第１蓋部材５２の上方から、第１ケースロック機構６０ａと第２ケースロック機構６０ｂの２箇所について「ロック」の文字、及び第１ケースロック機構６０ａの破断構造部６５が切断されていることを視認するができ、これにより管理者は、主基板ケース５０が一度開放された履歴があり、現在は第２ケースロック機構６０ｂにより主基板ケース５０が閉鎖状態にロックされていることを確認することができる。
【００４２】
そして、このように、閉鎖状態にロックされた状態の主基板ケース５０が、演出基板ケース８０に連結固定される。既述したように、主基板ケース５０の第１ケース本体部材５１に底面から下方に突出するＬ字状のスライドフック５５が形成され、演出基板ケース８０の第２蓋部材８２には、スライドフック５５を受容してスライド操作により係合するフック受容口８５が形成されている。また、第１ケース本体部材５１の４箇所に雌ネジ部５６が形成され、第２蓋部材８２にはスライドフック５５とフック受容口８５とが係合連結されたときに雌ネジ部５６と位置整合するネジ挿通孔８６が４箇所に形成されている。
【００４３】
このため、図９中に矢印で付記するように、閉鎖状態の主基板ケース５０を第２蓋部材８２の上方から覆い被せてスライドフック５５，５５をフック受容口８５，８５に挿入し、主基板ケース５０を第２蓋部材８２に対してスライドフック５５が延びる左右方向に相対移動させると、図１０に示すように、２箇所のスライドフック５５とフック受容口８５が各々係合し、４箇所の雌ネジ部５６とネジ挿通孔８６が各々上下に位置整合して配設される。そこで、第２蓋部材８２の内側からネジ挿通孔８６を通して雌ネジ部５６に固定ネジ５８を螺合締結することで、閉鎖状態の主基板ケース５０が演出基板ケース８０の第２蓋部材８２に連結固定される。
【００４４】
そして、このように主基板ケース５０が連結固定された第２蓋部材８２を第２ケース本体部材８１に覆い被せ、第２蓋部材の上面側から４箇所のネジホールに固定ネジ８８を挿入して雌ネジ部８４に螺合締結することで、第２蓋部材８２が第２ケース本体部材８１に連結され、２箇所のネジホール８７に遮蔽キャップ９１を嵌入して封止することにより演出基板ケース８０が演出基板ケースロック機構９０により閉鎖状態に保持される。そして、主基板ケースロック機構６０及び演出基板ケースロック機構９０により閉鎖保持された主基板ケース５０及び演出基板ケース８０が、図２に示すようにパチンコ機後面側の裏セット盤２０に取り付けられる。なお、実施例では演出基板ケース８０に後方に延びる脚部を設けて裏セット盤に固定する構成例を示すが、主基板ケース５０に固定部を設けて主基板ケースを裏セット盤に固定する形態であっても良い。
【００４５】
こうして主基板ケースロック機構６０及び演出基板ケースロック機構９０により閉鎖保持された主制御基板３５と演出制御基板３８とがパチンコ機ＰＭに取り付けられると、主基板ケースロック機構６０の各破断構造部６５は、透明な第１蓋部材５２の天井壁５２ｔを透視して目視検査できる一方で、破断構造部の周囲が第１蓋部材５２の天井壁５２ｔ及び囲壁５２ｉに覆われているため直接触れることができない。
【００４６】
このため、主制御基板３５に対する不正改造の検査を行う管理者や検査官は、破断構造部６５を主基板ケース５０の外方から容易に目視確認できるが、主制御基板３５に不正改造を行おうとする者にとっては、前方及び周囲を覆う第１蓋部材が障害となって容易に不正改造を行うことができない。従って、主基板ケース５０を取り外した状態においてのみ破断構造部６５を壊して主基板ケース５０を開放できる構成により、目視検査の容易性と改造行為に対する抵抗力とを両立することができる。
【００４７】
また、演出基板ケース８０が、遮蔽キャップ９１のミクロジョイント部９７ｂを破断して４箇所の固定ネジ８８を取り外さなければケースを開放することができない演出基板ケースロック機構９０により封止され、演出基板ケース８０を開放した状態においてのみ操作可能な４箇所の固定ネジ５８を取り外して主基板ケース５０と演出基板ケース８０との連結を解除できるようになっている。
【００４８】
すなわち、主制御基板３５に対して不正行為を行うためには、演出基板ケースロック機構９０を壊して演出基板ケース８０を開放し、さらに第２蓋部材８２の内面側に位置する４箇所の固定ネジ５８を取り外して、演出基板ケース８０と主基板ケース５０の連結を解除しなければならない構成になっている。また、各図では記載を省略したが、主制御基板３５及び演出制御基板３８には、それぞれ複数の入出力のケーブルが接続されており、いずれの基板ケースを交換する場合にも、これらの複数の入出力ケーブルを着脱する必要がある。
【００４９】
このため、以上説明したような不正開放防止機構を備えたパチンコ機ＰＭでは、主制御基板３５に対して不正改造や不正交換を行おうとすれば相当の時間と工数が必要であり、特に行為に要する時間を問題とする不正行為者に対して大きな抑止力を発揮することができる。
【００５０】
なお、本実施形態では、主基板ケース５０が平坦な第２蓋部材に連結されるため、主基板ケース５０を取り外した状態においてのみ破断構造部６５にアプローチ可能な構成として、破断構造部６５の前方を覆う天井壁５２ｔと側方全体を囲む囲壁５２ｉとを形成した構成例を示したが、例えば主基板ケース５０が凹状のケース装着部に取り付けられ、取り付け状態においてケース側方から破断構造部６５にアプローチできないような構成の場合には、囲壁５２ｉを設けることなく天井壁５２ｔのみを設ける構成とすることができる。また、第１蓋部材の囲壁５２ｉを下方に延出するとともに、第２蓋部材８２の天井壁に囲壁５２ｉの板厚及び形状に合わせた溝部を形成し、主基板ケース５０を演出基板ケース８０に固定したときに、囲壁５２ｉの下端部が演出基板ケース８０の溝部内に配設されるように構成し、あるいは第２蓋部材８２の天井壁に囲壁５２ｉの外周形状に合わせた凹部を形成し、主基板ケース５０を演出基板ケース８０に固定したときに、囲壁５２ｉの下端部全体が演出基板ケース８０の凹部内に配設されるように構成してもよい。このような構成によれば、演出基板ケース８０の天井面に沿ってセル等を挿入しようとしてもこれを挿入することができず、不正行為防止効果をさらに向上させることができる。
【００５１】
また、主基板ケース５０にロック駒タイプのケースロック機構を設け、演出基板ケース８０に遮蔽キャップタイプのケースロック機構を設けた構成例を示したが、これらは、適宜逆のタイプのケースロック機構を適用し、あるいは同一タイプのケースロック機構を適用する等、適宜変更して構成することができる。例えば、演出基板ケースロック機構として、主基板ケースロック機構６０と同様に演出基板ケース８０を裏セット盤２０から取り外さなければ破断構造部にアプローチできない構成とし、あるいは、演出基板ケースの前面側から破断構造部にアプローチ可能なロック駒タイプの公知のケースロック機構を設けた構成とすることができる。
【００５２】
さらに、実施形態では、本発明をパチンコ機の主制御基板に対して適用した実施形態について説明したが、本発明は、払出制御基板や発射制御基板等の他の回路基板に適用することができ、また他種の遊技機、例えばアレンジボール機や雀球遊技機、スロットマシン等の回路基板についても同様に適用し同様の効果を得ることができる。
【図面の簡単な説明】
【００５３】
【図１】本発明を適用した遊技機の一例として示すパチンコ機の斜め前方から見た斜視図である。
【図２】上記パチンコ機を斜め後方から見た斜視図である。
【図３】主基板ケースと演出基板ケースとが連結された状態の外観斜視図である。
【図４】主基板ケース及び演出基板ケースの概要構成を示す分解斜視図である。
【図５】図４中V矢視方向の演出基板ケースロック機構の断面図である。
【図６】未開封状態の遮蔽キャップの(ａ)平面図と、(ｂ)軸線に沿った断面図である。
【図７】開封状態の遮蔽キャップの(ａ)平面図と、(ｂ)軸線に沿った断面図である。
【図８】(ａ)アンロック姿勢の連結部材と、(ｂ)ロック姿勢の連結部材を、本体側ハウジングの上方に示す主基板ケースロック機構の斜視図である。
【図９】アンロック状態にある連結部材の作用を説明するための主基板ケースロック機構の断面図である。
【図１０】ロック状態にある連結部材の作用を説明するための主基板ケースロック機構の断面図である。
【符号の説明】
【００５４】
ＰＭ  パチンコ機
２０  裏セット盤
３５  主制御基板
３８  演出制御基板
５０  主基板ケース
５１  第１ケース本体部材
５２  第１蓋部材（５２ｓ  側壁、５２ｔ  天井壁、５２ｉ  囲壁）
６０（６０ａ〜６０ｄ）  主基板ケースロック機構
６１  本体側ハウジング
６２  蓋側ハウジング
６５  破断構造部
７０  連結部材
８０  演出基板ケース
８１  第２ケース本体部材
８２  第２蓋部材
９０  演出基板ケースロック機構
９１  遮蔽キャップ（未開封状態）
９１′  遮蔽キャップ（開封状態）
９７ｂ  ミクロジョイント部（破断構造部）
【図１】
2008237343.tif 000003
【図２】
2008237343.tif 000004
【図３】
2008237343.tif 000005
【図４】
2008237343.tif 000006
【図５】
2008237343.tif 000007
【図６】
2008237343.tif 000008
【図７】
2008237343.tif 000009
【図８】
2008237343.tif 000010
【図９】
2008237343.tif 000011
【図１０】
2008237343.tif 000012